(57)【要約】【課題】配線の邪魔にならず、測定クリップが外れにくい端子台を提供する。【解決手段】絶縁性材料で形成された基台１と、この基台１に設けられ、アース線が接続される端子部２と、基台１に設けられ、前記端子部２と接続し、接地線が接続される接地端子部材５を備えた端子台において、接地端子部材５に螺着される接地螺子６の螺子頭１０と螺子部７の間に、螺子頭１０の横断面寸法より小さい横断面寸法の部分を有する小軸部９を設けることにより、螺子頭１０と小軸部９の間に段差１９を形成するとともに、小軸部９と螺子部７の間に接地線押止部８を設け、接地螺子６を接地端子部材５に螺着して、接地線を接地端子部材５に接続した際に、小軸部９が接地端子部材５の上面に露出した構造を特徴とする。なお、接地線押止部８の下端の横断面寸法は小軸部９の下部の横断面寸法より大きいことが好ましい。【選択図】図１
2007294310.tif 000002
【特許請求の範囲】
【請求項１】
絶縁性材料で形成された基台と、この基台に設けられ、アース線が接続される端子部と、前記基台に設けられ、前記端子部と接続し、接地線が接続される接地端子部材を備えた端子台において、前記接地端子部材に螺着される接地螺子の螺子頭と螺子部の間に、螺子頭の横断面寸法より小さい横断面寸法の部分を有する小軸部を設けることにより、螺子頭と小軸部の間に段差を形成するとともに、小軸部と螺子部の間に接地線押止部を設け、接地螺子を接地端子部材に螺着して、接地線を接地端子部材に接続した際に、前記小軸部が接地端子部材の上面に露出した構造を特徴とする端子台。
【請求項２】
接地線押止部の下端の横断面寸法は小軸部の下部の横断面寸法より大きいことを特徴とする請求項１に記載の端子台。
【発明の詳細な説明】
【技術分野】
【０００１】
本発明は、配電盤や分電盤等に用いられる端子台の改良に関するものである。
【背景技術】
【０００２】
電気機器の負荷側は、感電防止やノイズによる誤作動防止のために接地線に接続され、接地されている。このため、配電盤や分電盤等には、図１２に示されるような、電気機器等の負荷側からのアース線が接続される複数の端子部５１と、接地線を接地螺子５２で挟んで、接地線が接続される接地端子部材５３とを備えた端子台５４が設けられている。このような端子台５４は、個々の負荷からのアース線をまとめて接地線と接続するためのものであり、各端子部５１と接地端子部材５３とは電気的に接続され全体が同電位とされている。
【０００３】
このような端子台を用いた配電盤や分電盤等の絶縁測定を行う場合には、片手で絶縁測定器の一方の測定ピンを端子台５４の接地端子部材５３もしくは接地螺子５２に当て、他方の手で他方の測定ピンを電圧線の接続されたブレーカ等の端子部に当てて測定を行っていた。このため絶縁測定時には両手が塞がってしまい、絶縁測定器を手で持つことができないので、データが読み取りづらいという問題があった。
【０００４】
そこで、特許文献１に示されるように、端子台５４の接地端子部材５３に一体又は別体の測定片５５を突出させ、測定する際には、測定片５５に測定クリップを取り付けて片手で絶縁測定器を持ちながら絶縁測定を行うことができる端子台５４がある。しかしながら、この端子台５４では測定片５５が配線の邪魔になり作業性が悪かった。一方で、接地螺子５２の螺子頭に測定クリップを取り付けようとすると滑って外れてしまう問題があった。
【０００５】
そこで、配線の邪魔にならず、測定クリップが外れにくく、作業性を向上させた端子台の開発が要望されていた。
【０００６】
【特許文献１】特開２００１−０５７２５４号公報
【発明の開示】
【発明が解決しようとする課題】
【０００７】
本発明は上記のような問題点を解決して、配線の邪魔にならず、測定クリップが外れにくい端子台を提供することを目的として完成されたものである。
【課題を解決するための手段】
【０００８】
上記課題を解決するためになされた本発明は、絶縁性材料で形成された基台と、この基台に設けられ、アース線が接続される端子部と、前記基台に設けられ、前記端子部と接続し、接地線が接続される接地端子部材を備えた端子台において、前記接地端子部材に螺着される接地螺子の螺子頭と螺子部の間に、螺子頭の横断面寸法より小さい横断面寸法の部分を有する小軸部を設けることにより、螺子頭と小軸部の間に段差を形成するとともに、小軸部と螺子部の間に接地線押止部を設け、接地螺子を接地端子部材に螺着して、接地線を接地端子部材に接続した際に、前記小軸部が接地端子部材の上面に露出した構造を特徴とするものである。
【０００９】
また、接地線押止部の下端の横断面寸法は小軸部の下端の横断面寸法より大きいことを特徴とすることが好ましい。
【発明の効果】
【００１０】
アース線が接続される端子部と、前記端子部と接続し、接地線が接続される接地端子部材を備えた端子台において、前記接地端子部材に螺着される接地螺子の螺子頭と螺子部の間に、螺子頭の横断面寸法より小さい横断面寸法の部分を有する小軸部を設けることにより、螺子頭と小軸部の間に段差を形成するとともに、小軸部と螺子頭の間に接地線押止部を設け、接地螺子を接地端子部材に螺着して、接地線を接地端子部材に接続した際に、前記小軸部が接地端子部材の上面に露出した構造としたので、絶縁測定を行う場合に絶縁測定器の一方の測定ピンの先端を測定クリップとして、接地螺子に挟み、絶縁測定器の他方の測定ピンを電圧線の接続されたブレーカ等の端子部に当てながら測定を行うことができる。このため片手で絶縁測定器を持ちながら絶縁抵抗値等のデータを読み取ることができ、従来よりも保守作業の作業性を向上させることができ、測定クリップが引っ張られても接地螺子から外れにくい。また、測定片を設けた端子台と比べて、部品点数を削減することにより、組立が容易となり、絶縁測定器の配線の邪魔になることがないので、作業性を向上させることが可能となる。
【００１１】
接地線押止部の下端の横断面寸法を小軸部の下端の横断面寸法より大きくすると、小軸部の形状に拘束されず自由に接地線押止部の形状を設定することが可能となり、接地端子を螺着して接地線を接地線押止部と接地端子部で圧着して、接地線を接地端子部に接続した際に、接地線と接地螺子とが接触する部分の面積を大きくとることができ、接触不良を回避し、また、接地線が接地端子部から外れることを防止することが可能となる。
【発明を実施するための最良の形態】
【００１２】
以下に、図面を参照しつつ本発明の好ましい実施の形態を示す。
図１は端子台を示す図であり、図２は端子台の斜視図である。１は端子台の基台であり、ポリカーボネード樹脂、ＰＰＥ樹脂、ナイロン等の絶縁性材料により形成されている。２は基台１の上面に配置された複数の端子部である。これらの端子部２は各負荷側からのアース線を接続するためのもので、この実施形態では電線挿入孔３と解除ボタン４とを備えた螺子なし端子が採用されているが、螺子端子としてもよい。また端子台の両側には、接地線が接続される板状の接地端子部材５が設けられている。これらの端子部２と接地端子部材５とは、全体が同電位となるよう内部で電気的に接続されている。なお、接地端子部材５は端子台の片側のみに設けてもよく、また、導電性の高い材質であることが好ましい。接地端子部材５には、後述する接地螺子６の螺子部７が螺着される螺子穴が形成されている。
【００１３】
図３に接地螺子の単体図を示す。接地螺子６は接地端子部材５に螺着する螺子部７と、この螺子部７の上部に形成された接地線押止部８と、接地線押止部８の上部に形成された小軸部９と、小軸部９の上部に形成された螺子頭１０から構成されている。螺子部７の上部には、不完全螺子部１１が設けられていてもよい。
【００１４】
実施例のものでは、接地線押止部８及び小軸部９は円柱形状であり、ドライバーの先端が係合する係合溝１２が形成されている螺子頭先端部１３は半円の先端を切り取った形状であり、この螺子頭先端部１３下部には、円柱形状の接触部１４が設けられている。
【００１５】
小軸部９の断面の直径ａは螺子頭１０の外径ｂより小さい。また、接地線押止部１０の断面の直径ｃは小軸部９の断面の直径ａより大きい。このように接地螺子６は、螺子頭１０と螺子部７の間に、螺子頭１０の外径ｂより小さい径aの小軸部９が設けられ、螺子頭１０と小軸部９の間には段差１９が形成されている。また、小軸部９と螺子部７の間に、小軸部９の外径aより大きい径ｃの接地線押止部８が設けられている構造をしている。
【００１６】
接地線を接地端子部材５と接地線押止部８の間に入れて、接地螺子６をねじ込んで接地線を接地端子部材５と接地線押止部８で挟んで、接地端子部材５と接続する。なお、接地線の先端に圧着端子を設け、圧着端子と接地端子部材５を接続することとしてもよく、また、接地線や圧着端子の上部もしくは下部に、ワッシャーやスプリングワッシャーを入れることとしてもよい。前述したように、接地線押止部１０の断面の直径ｃは小軸部９の断面の直径aより大きく、小軸部９の形状に拘束されずに自由に設定することができるので、接地線と接地螺子とが接触する部分の面積を大きくとることができ、接触不良を回避し、また、接地線が接地端子部から外れることを防止することができる。
【００１７】
図１、図２に示すように、接地螺子６が接地端子部材５に螺着して、接地線を接地端子部材５に接続した状態では、小軸部９は接地端子部材５の上面に露出している。
【００１８】
図１に示すように、測定クリップ１５を接地螺子６で挟んで、絶縁測定を行う。この測定クリップ１５は、対向する金属部材１６の先端が、スプリング１７により、常に縮まる向きに付勢されている構造のものである。金属部材１６の先端の内側には、波型の波歯部１８が形成されている。
【００１９】
前述したように、小軸部９が接地端子部材５の上部に露出しているので、小軸部９の断面の寸法aは螺子頭１０の寸法ｂより小さく、螺子頭１０と小軸部９の間には段差１９があるので、波歯部１８が段差１９に引っかかって、測定クリップ１５が接地螺子６から外れにくい。また、接触部１４が円柱形状であれば、金属部材１６による接地螺子６の保持力がより向上する。なお、波歯部１８が直接、小軸部９と接触する構造であってもよく、この場合にも、波歯部１８が段差１９に引っかかって、測定クリップ１５が接地螺子６から外れにくい。
【００２０】
なお、接地端子部材５を端子台の両側に設けた場合、絶縁測定器の配線の邪魔にならない方の接地螺子６を選んで、測定クリップ１５を接地螺子６に挟んで測定することが可能となる。
【００２１】
また別の実施例として、図４に示すように、接地螺子６の小軸部９は下部に向かって末広がりの円錐形状であってもよく、この場合には、円錐下端部が接地線押止部８となる。この実施例もまた、小軸部９には螺子頭１０の外径ｂより小さい径ａの部分を有しているので、螺子頭１０と小軸部９の間には段差１９が形成されている。
【００２２】
なお、螺子頭１０は六角ボルトのように六角柱形状や、六角螺子穴付きボルトのように円柱に六角レンチ差込部が形成されている等の形状であっても差し支えなく、小軸部９もまた、多角柱や多角錐の下部を切り取った形状であっても差し支えない。この場合、小軸部９は螺子頭１０の横断面寸法より小さい横断面寸法の部分を有している。ここで、螺子頭１０の横断面寸法とは、螺子頭１０の横断面の外寸が最大となる寸法であり、例えば螺子頭１０が六角柱の場合には、図５に示すように、対角寸法ｄのことをいう。また、小軸部９の横断面寸法とは、小軸部９の横断面の外寸が最小となる寸法である。このように、小軸部９は螺子頭１０の横断面寸法より小さい横断面寸法の部分を有しているので、螺子頭１０と小軸部９の間には段差１９が形成される。
【００２３】
また、接地線押止部８は、円柱形状に限定されず、接地線押止部８の横断面形状が六角形や四角形等の多角形等であっても差し支えなく、円錐や多角錐の下部を切り取った形状であっても差し支えない。この場合、接地線押止部８の下端の横断面寸法は小軸部９の下端の横断面寸法より大きい。ここで接地線押止部８の横断面寸法とは、接地線押止部８の横断面の外寸が最小となる寸法のことをいう。このように、小軸部９の下部に接地線押止部８を設けたので、小軸部９の形状に拘束されず、自由に形状を設定することができ、接地線と接地押止部８との接触面積を大きくとることが可能となる。
【００２４】
以上に説明したように、本発明によれば、接地端子部材５に螺着される接地螺子６の螺子頭１０と螺子部７の間に、螺子頭１０の横断面寸法より小さい横断面寸法の部分を有する小軸部９を設けることにより、螺子頭１０と小軸部９の間に段差１９を形成するとともに、小軸部９と螺子部７の間に接地線押止部８を設け、接地螺子６を接地端子部材５に螺着して、接地線を接地端子部材５に接続した際に、前記小軸部９が接地端子部材５の上面に露出した構造としたので、絶縁測定を行う際に、測定クリップ１５が外れにくい端子台を提供することが可能となった。
【００２５】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う端子台もまた技術的範囲に包含されるものとして理解されなければならない。
【００２６】
図６に家庭用の分電盤の内部構造を示す。本発明の端子台２１は分電盤２２の内部に取り付けられる。この分電盤２２の内部には、単相３線の主幹遮断器２３が取り付けられている。分電盤２２には、外部から電圧線２４、２５と中性線２６が引き込まれている。主幹遮断器２３に接続している電気機器とは別に、独立して２００Ｖ用の電気機器を使用する場合がある。この場合、主幹遮断器２３の前段に、２００Ｖ用の一次送り用遮断器２７を設け、電圧線２４、２５と中性線２６を端子台３３に接続し、端子台３３で分岐させて主幹遮断器２３に接続する必要がある。このように、端子台３３で電圧線２４、２５と中性線２６を分岐させるのは、主幹遮断器２３がトリップして回路が遮断しても、一次送り用遮断器２７に電流が供給されるようにするためであり、また逆に一次送り用遮断器２７がトリップして回路が遮断しても、主幹遮断器２３に電源が供給されるようにするためである。従来では、図７に示すように、電圧線２４、２５と中性線２６を端子台２８に接続して、電圧線２４、２５のみ主幹遮断器２３と同じ大きさの一次送り用遮断器２９に接続していた。ところがこの構造では、中性線２６が一次送り用遮断器２９に接続されていないのにも関わらず、３線分の大きさがあり、スペース的に無駄であった。
【００２７】
そこで、図８、図９、図１０、図１１に示すような、電源側は３つの接続端子３１を有するが、ブレーカ接続側は２つの接続バー３２を有する端子台３３により、電圧線２４と電圧線２５を２線分の大きさの一次送り用遮断器２７に接続することとすると、一次送り用遮断器の大きさを１線分小さくすることができ、また、端子螺子３５が接続端子３１側のみに取り付けられている構造となるので、端子台３３の大きさを小さくすることが可能となる。また、端子台３３の一次送り用遮断器２７の接続側の側面には隔壁３６が設けられているので、接続バー３２が隔壁３６で覆われ、通電検査作業持等に感電の恐れがなくなる。
【図面の簡単な説明】
【００２８】
【図１】端子台の正面図である。
【図２】端子台の斜視図である。
【図３】接地螺子の単体図である。
【図４】接地螺子の単体図である。
【図５】螺子頭の横断面の説明図である。
【図６】分電盤の内部図である。
【図７】従来の端子台及び一次送り用遮断器の正面図である。
【図８】改良した端子台及び一次送り用遮断器の正面図である。
【図９】改良した端子台及び一次送り用遮断器の斜視図である。
【図１０】改良した端子台の斜視図である。
【図１１】改良した端子台の分解斜視図である。
【図１２】従来の端子台を示す説明図である。
【符号の説明】
【００２９】
１      基台
２      端子部
３      電線挿入孔
４      解除ボタン
５      接地端子部材
６      接地螺子
７      螺子部
８      接地線押止部
９      小軸部
１０    螺子頭
１１    不完全螺子部
１２    係合溝
１３    螺子頭先端部
１４    接触部
１５    測定クリップ
１６    金属部材
１７    スプリング
１８    波歯部
２１    本発明の端子台
２２    分電盤
２３    主幹遮断器
２４    電圧線
２５    電圧線
２６    中性線
２７    一次送り用遮断器
２８    端子台
２９    従来の一次送り用遮断器
３１    接続端子
３２    接続バー
３３    端子台
３５    端子螺子
３６    隔壁
５１    端子部
５２    接地螺子
５３    接地端子部材
５４    端子台
５５    測定片
ａ    小軸部の断面の直径
ｂ    螺子頭の外径
ｃ    接地線押止部の断面の直径
ｄ    対角寸法
【図１】
2007294310.tif 000003
【図２】
2007294310.tif 000004
【図３】
2007294310.tif 000005
【図４】
2007294310.tif 000006
【図５】
2007294310.tif 000007
【図６】
2007294310.tif 000008
【図７】
2007294310.tif 000009
【図８】
2007294310.tif 000010
【図９】
2007294310.tif 000011
【図１０】
2007294310.tif 000012
【図１１】
2007294310.tif 000013
【図１２】
2007294310.tif 000014